(57)【特許請求の範囲】
【請求項１】
ガス通路内のガス流量を検出する流量検出部と、
前記流量検出部の検出信号に基づいて流量を算出する流量算出部と、
流量区分別に器具の連続使用時間の許容値を設定し所定の条件で前記許容値を長時間設定と短時間設定に変更する判定値変更部と、
ガス流量が検出されたとき前記流量算出部で算出された流量に対応する連続使用時間の許容値を前記判定値変更部より取り出し、ガス流量が検出されている時間が取り出した連続使用時間の許容値より長く継続しているとき弁閉信号を出力する異常流量判定部と、
前記異常流量判定部の弁閉信号が入力されたとき弁駆動信号を出力する弁駆動部と、
前記弁駆動部の駆動信号によりガス通路を閉栓する弁と、
屋内環境の異常を検出する外付けセンサと、
前記外付けセンサの接続状態を監視し、センサ有／無信号を出力する接続判定部と、
前記外付けセンサから送信される期限切れ信号を受け取ると交換要求信号を出力する第２信号入力部と、
前記外部センサからの異常検知信号が入力されると弁閉信号を出力するセンサ信号入力部と、を備え、
前記判定値変更部は、前記接続判定部よりセンサ有信号が出力されたとき連続使用時間の許容値を長時間設定とし、前記接続判定部よりセンサ無信号が出力されたとき連続使用時間の許容値を短時間設定とし、かつ第２信号入力部からの交換要求信号を受け取ると連続使用時間の許容値を短時間設定にすると共に、満了報知信号を出力し、
判定値変更部からの満了報知信号を受け取ると外部に外付けセンサの交換時期である旨を報知すると共に、外部からの遮断指示に基づき弁閉信号を出力する外部通信手段と、を備え、
外部通信手段は、外部に外付けセンサの交換時期を報知したのち、所定期間内に外部からの応答信号がないとき弁閉信号を出力する、
ことを特徴とするガス遮断装置。
【請求項２】
ガス通路内のガス流量を検出する流量検出部と、
前記流量検出部の検出信号に基づいて流量を算出する流量算出部と、
流量区分別に器具の連続使用時間の許容値を設定し所定の条件で前記許容値を長時間設定と短時間設定に変更する判定値変更部と、
ガス流量が検出されたとき前記流量算出部で算出された流量に対応する連続使用時間の許容値を前記判定値変更部より取り出し、ガス流量が検出されている時間が取り出した連続使用時間の許容値より長く継続しているとき弁閉信号を出力する異常流量判定部と、
前記異常流量判定部の弁閉信号が入力されたとき弁駆動信号を出力する弁駆動部と、
前記弁駆動部の駆動信号によりガス通路を閉栓する弁と、
屋内環境の異常を検出する外付けセンサと、
前記外付けセンサの接続状態を監視し、センサ有／無信号を出力する接続判定部と、
前記外付けセンサから送信される期限切れ信号を受け取ると交換要求信号を出力する第２信号入力部と、
前記外部センサからの異常検知信号が入力されると弁閉信号を出力するセンサ信号入力部と、を備え、
前記判定値変更部は、前記接続判定部よりセンサ有信号が出力されたとき連続使用時間の許容値を長時間設定とし、前記接続判定部よりセンサ無信号が出力されたとき連続使用時間の許容値を短時間設定とし、かつ第２信号入力部からの交換要求信号を受け取ると連続使用時間の許容値を短時間設定にすると共に、満了報知信号を出力し、
判定値変更部からの満了報知信号を受け取ると外部に外付けセンサの交換時期である旨を報知すると共に、外部からの遮断指示に基づき弁閉信号を出力する外部通信手段と、を備え、
外部通信手段は、所定期間内に複数回の外付けセンサの交換時期報知を行い、外部からの応答信号がないとき弁閉信号を出力する、
ことを特徴とするガス遮断装置。
【請求項３】
ガス通路内のガス流量を検出する流量検出部と、
前記流量検出部の検出信号に基づいて流量を算出する流量算出部と、
流量区分別に器具の連続使用時間の許容値を設定し所定の条件で前記許容値を長時間設定と短時間設定に変更する判定値変更部と、
ガス流量が検出されたとき前記流量算出部で算出された流量に対応する連続使用時間の許容値を前記判定値変更部より取り出し、ガス流量が検出されている時間が取り出した連続使用時間の許容値より長く継続しているとき弁閉信号を出力する異常流量判定部と、
前記異常流量判定部の弁閉信号が入力されたとき弁駆動信号を出力する弁駆動部と、
前記弁駆動部の駆動信号によりガス通路を閉栓する弁と、
屋内環境の異常を検出する外付けセンサと、
前記外付けセンサの接続状態を監視し、センサ有／無信号を出力する接続判定部と、
前記外付けセンサから送信される期限切れ信号を受け取ると交換要求信号を出力する第２信号入力部と、
前記外部センサからの異常検知信号が入力されると弁閉信号を出力するセンサ信号入力部と、を備え、
前記判定値変更部は、前記接続判定部よりセンサ有信号が出力されたとき連続使用時間の許容値を長時間設定とし、前記接続判定部よりセンサ無信号が出力されたとき連続使用時間の許容値を短時間設定とし、かつ第２信号入力部からの交換要求信号を受け取ると連続使用時間の許容値を段階的に短く設定すると共に、満了報知信号を出力し、
判定値変更部からの満了報知信号を受け取ると外部に外付けセンサの交換時期である旨を報知すると共に、外部からの遮断指示に基づき弁閉信号を出力する外部通信手段と、を備え、
外部通信手段は、外部に外付けセンサの交換時期を報知したのち、時間経過と共に連続使用時間の許容値を短縮する方向に変更する、
ことを特徴とするガス遮断装置。
【発明の詳細な説明】
【技術分野】
【０００１】
本発明は、ガス警報器等の外付けセンサの有効期限の監視手段に関し、特に有効期限中か否かでガス器具の使用条件に制限を加えるようにしたものである。
【背景技術】
【０００２】
従来、この種のガス遮断装置は、特許文献１に記載するような構成として先行技術文献に記載されている。
【０００３】
図４は、特許文献１に記載された従来のガス遮断装置を示すものである。
【０００４】
図４に示すように、ガス漏れ警報器２０の接続及び未接続を検出する接続／未接続検出手段１８ａ２と、接続／未接続検出手段１８ａ２が接続を一度も検出したことがない接続初期状態から、接続を一度でも検出したことがある接続済状態になったとき以降、未接続の検出に応じて、ガス漏れ警報器２０と当該ガスメータの接続が断たれたことを検出する断線検出手段１８ａ２と、断線の検出に応じて、その旨を報知するデータを外部に送信する送信手段１８ａ２とを備えたものである。
【０００５】
上記構成により、ガスメータ設置時から元々ガス漏れ警報器２０が接続されていない場合、接続初期状態から接続済状態に移行することがないことに着目し、接続初期状態から接続済状態になったとき以降、未接続の検出に応じて断線を検出している。これにより、ガス漏れ警報器２０とガスメータとの接続が断たれたときだけ、その旨を報知するデータが送信され、ガス漏れ警報器２０との未接続が検出される毎に、データが送信されることを防ぐことができる。また、管理側では、断線検出の旨の受信によって、ガス漏れ警報器２０との接続の有無を確認することなく、ガス漏れ警報器２０が断線したと判断することができる。
【０００６】
また、ガス使用時間が予め定めた設定時間以上、継続したときガス供給を遮断する使用時間遮断手段１８ａ２と、ガス漏れ警報器２０が接続されている場合と、接続されていない場合とで、設定時間を変更する変更手段１８ａ２とを備えたものである。
【０００７】
これにより、使用時間遮断の設定時間を第１接続フラグのオンとオフとで、つまり、ガス漏れ警報器２０の接続時と未接続時とで変えるために制御された第１接続フラグを流用して、より一層簡単に断線を検出したときに、データを送信することができるようになるガスメータを得ることができる。
【特許文献１】特開２００４−４５０７５号
【発明の開示】
【発明が解決しようとする課題】
【０００８】
しかしながら、前記従来の構成ではガス漏れ警報器等の外付けセンサの有無を検出して流量継続所定時間を可変（図３に示すように、例えば０．５ｍ３／ｈでは長時間を４００分、短時間を５０分）にするだけであるため、ガス漏れ警報器等の外付けセンサの有効期限が過ぎてセンサの劣化が進み、正確な異常検出能力を有していなくなっても、ガス漏れ警報器等の外付けセンサが見かけ上、動作していれば流量継続所定時間を長時間設定としたままとなり、不安全となる可能性があるという課題を有していた。
【０００９】
本発明は、前記従来の課題を解決するもので、ガス遮断装置がガス漏れ警報器等の外付けセンサからの期限切れ報知信号の受信有無を監視し、受信有を判定すると自動的に流量継続所定時間を長時間設定としたものを、短時間設定に戻す機能を有したガス遮断装置を提供することを目的とする。
【課題を解決するための手段】
【００１０】
前記従来の課題を解決するために、本発明のガス遮断装置は、ガス通路内のガス流量を検出する流量検出部と、流量検出部の検出信号に基づいて流量を算出する流量算出部と、流量区分別に器具の連続使用時間の許容値を設定し所定の条件で許容値を長時間設定と短時間設定に変更する判定値変更部と、ガス流量が検出されたとき流量算出部で算出された流量に対応する連続使用時間の許容値を判定値変更部より取り出し、ガス流量が検出されている時間が取り出した連続使用時間の許容値より長く継続しているとき弁閉信号を出力する異常流量判定部と、異常流量判定部の弁閉信号が入力されたとき弁駆動信号を出力する弁駆動部と、弁駆動部の駆動信号によりガス通路を閉栓する弁と、屋内環境の異常を検出する外付けセンサと、外付けセンサの接続状態を監視し、センサ有／無信号を出力する接続判定部と、外付けセンサから送信される期限切れ信号を受け取ると交換要求信号を出力する第２信号入力部と、外部センサからの異常検知信号が入力されると弁閉信号を出力するセンサ信号入力部とを備え、判定値変更部は、接続判定部よりセンサ有信号が出力されたとき連続使用時間の許容値を長時間設定とし、接続判定部よりセンサ無信号が出力されたとき連続使用時間の許容値を短時間設定とし、かつ第２信号入力部からの交換要求信号を受け取ると連続使用時間の許容値を短時間設定にすると共に、満了報知信号を出力し、判定値変更部からの満了報知信号を受け取ると外部に外付けセンサの交換時期である旨を報知すると共に、外部からの遮断指示に基づき弁閉信号を出力する外部通信手段と、を備え、外部通信手段は、所定期間内に複数回の外付けセンサの交換時期報知を行い、外部からの応答信号がないとき弁閉信号を出力することを特徴とするものである。
【００１１】
上記発明によれば、外付けセンサに自身の有効期限を計時する機能を持たせ、有効期限が近づいた場合、あるいは経過した時点で期限切れ報知信号を出力し、この期限切れ報知信号の受信有無をガス遮断装置が監視し、受信有を判定したとき外付けセンサの異常検知機能が保証範囲を超えたと判断し、連続使用時間の許容値を短時間設定とすることで、ガス器具の使用条件に制限を加えるようにしたもので、外付けセンサ自身が有効期限の判定を行う機能を有しているため、種類や仕様の異なる外付けセンサで有効期限が異なるものでも容易に対応することができ、有効期限が過ぎても交換されない場合は、器具の使用条件を制限することで、一応の安全性を確保することができ、外部センサが交換されるまでの安全性を確保するための暫定処置が簡単な処理で可能となる。
【発明の効果】
【００１２】
本発明のガス遮断装置は、外付けセンサ自身が有効期限の判定を行い、その判定結果を期限切れ報知信号として出力し、期限切れ報知信号の受信有無で、ガス器具の連続使用時間の許容値である流量継続所定時間を自動的に長時間設定と短時間設定に切り替えることが可能となり、外付けセンサが有効期限内においてはガス使用者のガス使用の利便性と安全性を確保し、外付けセンサの有効期限を過ぎるとガス使用時間を短時間設定とし、ガス器具の使用制限を加えることにより、ガス使用者の安全性を確保することができる。
【発明を実施するための最良の形態】
【００１３】
第１の発明は、ガス通路内のガス流量を検出する流量検出部と、前記流量検出部の検出信号に基づいて流量を算出する流量算出部と、流量区分別に器具の連続使用時間の許容値を設定し所定の条件で前記許容値を長時間設定と短時間設定に変更する判定値変更部と、ガス流量が検出されたとき前記流量算出部で算出された流量に対応する連続使用時間の許容値を前記判定値変更部より取り出し、ガス流量が検出されている時間が取り出した連続使用時間の許容値より長く継続しているとき弁閉信号を出力する異常流量判定部と、前記異常流量判定部の弁閉信号が入力されたとき弁駆動信号を出力する弁駆動部と、前記弁駆動部の駆動信号によりガス通路を閉栓する弁と、屋内環境の異常を検出する外付けセンサと、前記外付けセンサの接続状態を監視し、センサ有／無信号を出力する接続判定部と、前記外付けセンサから送信される期限切れ信号を受け取ると交換要求信号を出力する第２信号入力部と、前記外部センサからの異常検知信号が入力されると弁閉信号を出力するセンサ信号入力部とを備え、前記判定値変更部は、前記接続判定部よりセンサ有信号が出力されたとき連続使用時間の許容値を長時間設定とし、前記接続判定部よりセンサ無信号が出力されたとき連続使用時間の許容値を短時間設定とし、かつ前記第２信号入力部から交換要求信号が出力されたとき連続使用時間の許容値を短時間設定としたことを特徴とするものである。
【００１４】
そして、外付けセンサに自身の有効期限を計時する機能を持たせ、有効期限が近づいた場合、あるいは経過した時点で期限切れ報知信号を出力し、この期限切れ報知信号の受信有無をガス遮断装置が監視し、受信有を判定したとき外付けセンサの異常検知機能が保証範囲を超えたと判断し、連続使用時間の許容値を短時間設定とすることで、ガス器具の使用条件に制限を加えるようにしたもので、外付けセンサ自身が有効期限の判定を行う機能を有しているため、種類や仕様の異なる外付けセンサで有効期限が異なるものでも容易に対応することができ、有効期限が過ぎても交換されない場合は、器具の使用条件を制限することで、一応の安全性を確保することができ、外部センサが交換されるまでの安全性を確保するための暫定処置が簡単な処理で可能となる。
【００１５】
第２の発明は、上記第１の発明において、第２信号入力部からの交換要求信号を受け取ると連続使用時間の許容値を短時間設定にすると共に、満了報知信号を出力する判定値変更部と、判定値変更部からの満了報知信号を受け取ると外部に外付けセンサの交換時期である旨を報知すると共に、外部からの遮断指示に基づき弁閉信号を出力する外部通信手段とを備え、外部通信手段は、外部に外付けセンサの交換時期を報知したのち、所定期間内に外部からの応答信号がないとき弁閉信号を出力することを特徴とするものである。
【００１６】
そして、外部センサから期限切れ報知信号が出力され、第２信号入力部に入力されると交換要求信号に変換して判定値変更部に出力し、判定値変更部は満了報知信号として外部通信手段に出力し、外部に外付けセンサの交換時期である旨が報知される。この報知内容に基づいてガス事業者は交換作業の準備を行うことになるが、何らかの理由で交換作業ができず、期限切れ状態が長期間放置された状態になった場合は弁閉信号を出力し強制的にガスの供給を遮断するようにしているため、使用者の安全性を確保することができ、交換作業の早期着手を促すことができる。
【００１７】
第３の発明は、上記第１の発明において、第２信号入力部からの交換要求信号を受け取ると連続使用時間の許容値を短時間設定にすると共に、満了報知信号を出力する判定値変更部と、判定値変更部からの満了報知信号を受け取ると外部に外付けセンサの交換時期である旨を報知すると共に、外部からの遮断指示に基づき弁閉信号を出力する外部通信手段とを備え、外部通信手段は、所定期間内に複数回の外付けセンサの交換時期報知を行い、外部からの応答信号がないとき弁閉信号を出力することを特徴とするものである。
【００１８】
そして、第２の発明と同様に、外部センサから期限切れ報知信号が出力され、第２信号入力部に入力されると交換要求信号に変換して判定値変更部に出力し、判定値変更部は満了報知信号として外部通信手段に出力し、外部に外付けセンサの交換時期である旨が報知される。このとき、外部への交換時期の報知を複数回繰り返して行うようにし、外付けセンサの交換作業の早期着手を促すことで、期限切れ状態が長期間放置される状態を回避し、それでも放置される場合は弁閉信号を出力し強制的にガスの供給を遮断するようにして、使用者の安全性を確保するようにしている。
【００１９】
第４の発明は、上記第１の発明において、第２信号入力部からの交換要求信号を受け取ると連続使用時間の許容値を段階的に短く設定すると共に、満了報知信号を出力する判定値変更部と、判定値変更部からの満了報知信号を受け取ると外部に外付けセンサの交換時期である旨を報知すると共に、外部からの遮断指示に基づき弁閉信号を出力する外部通信手段とを備え、外部通信手段は、外部に外付けセンサの交換時期を報知したのち、時間経過と共に連続使用時間の許容値を短縮する方向に変更することを特徴とするものである。
【００２０】
そして、第２の発明と同様に、外部センサから期限切れ報知信号が出力され、第２信号入力部に入力されると交換要求信号に変換して判定値変更部に出力し、判定値変更部は満了報知信号として外部通信手段に出力し、外部に外付けセンサの交換時期である旨が報知される。このとき、外部への交換時期の報知により外付けセンサの交換作業の早期着手を促すと共に、報知後の時間経過に伴って連続使用時間の許容値を徐々に短縮する方向に変更し、期限切れ状態が長期間放置される状態における使用条件の制限を強化することで、一応の安全性を確保することができ、外部センサが交換されるまでの安全性を確保するための暫定処置が簡単な処理で可能となる。
【００２１】
以下、本発明の実施の形態について、図面を参照しながら説明する。なお、この実施の形態によって本発明が限定されるものではない。
【００２２】
（実施の形態１）
図２は、本発明の実施の形態１におけるガス遮断装置の機能ブロック図を示すものである。
【００２３】
図２において、流量算出部１０１は、ガス通路内を通過するガス流量（例えば、ガス通路内の上流側と下流側に対向して超音波センサを取り付け、上流側から下流側、下流側から上流側に発信する超音波の伝搬時間の違いからガス流量を検知してもよいし、ガス通路内にガスが流れる経路を作成しガスが経路を流れるときに発生する振動からガス流量を検知しても同様の効果が得られる）に対応して流量信号Ａを出力する。
【００２４】
流量算出部１０２は、流量検出部１０１の流量信号Ａを受け取ると、所定の演算処理に基づいて流量Ｂを算出する。
【００２５】
異常流量判定部１０３は、流量算出部１０２の流量Ｂを受け取ると、所定の条件で長時間設定と短時間設定に区別して流量区分別に設定した器具の連続使用時間の許容値を用いて、流量Ｂに基づいた判定値変更部１０８のガス器具の連続使用時間の許容値である流量継続所定時間Ｇ（例えば、図３に示すように室内器具であるＦＨの流量０．５ｍ３／ｈは外付けセンサ１０６であるＣＯセンサの有効期限内では４００分の長時間設定だが、有効期限切れでは５０分の短時間設定とし、また、流量区分が屋外器具である給湯器の２．０ｍ３／ｈの場合は、大気開放なので外付けセンサ１０６であるＣＯセンサの有効期限には関係なく長時間設定と短時間設定は同じ１００分とする）を取得し、流量Ｂがガス器具の連続使用時間の許容値である流量継続所定時間Ｇの間、継続して流れていれば弁閉信号Ｃを出力する。
【００２６】
弁駆動部１０４は、異常流量判定部１０３の弁閉信号Ｃまたはセンサ信号入力部１０９の弁閉信号Ｃを受け取ると弁駆動信号Ｄを出力する。
【００２７】
弁１０５は、弁駆動部１０４の弁駆動信号Ｄを受け取るとガス通路を閉栓する。
【００２８】
接続判定部１０７は、外付けセンサ１０６（例えば、ガス漏れ警報器、ＣＯ警報器や火災警報器等の個別型または複合型のものでも良いし、ガス遮断装置を監視するユーザ宅内に設置された宅内情報盤等の管理システムでも良い）の接続状態信号Ｅを監視し外付けセンサ１０６の有無を判定してセンサ有／無信号Ｆを出力する。
【００２９】
判定値変更部１０８は、接続判定部１０７のセンサ有／無信号Ｆがセンサ有になった場合にはガス器具の連続使用時間の許容値である流量継続所定時間Ｇを長時間設定とし、センサ有／無信号Ｆがセンサ無（例えば、有効期限前に交換するためには外付けセンサ１０６が外されたり、急激に電池消耗あるいは商業用電源が外れたり、停電により外付けセンサ１０６が動作しなくなった場合。停電等の一時的なものはセンサ使用許可期間とセンサ有効期限のズレを発生させないために、センサ有／無信号Ｆをセンサ無にしないことでセンサ使用許可期間の計時をリスタートさせないようにしてもよい）となった場合、あるいは第２信号入力部２０５からの交換要求信号Ｑを受け取るとガス器具の連続使用時間の許容値である流量継続所定時間Ｇを短時間設定にする。
【００３０】
センサ信号入力部１０９は、外付けセンサ１０６からの異常検知信号Ｈ（例えば、ガス漏れやＣＯ発生等の異常状態を外付けセンサ１０６が検出したことを報知する信号）を受け取ると弁閉信号Ｃを出力する。
【００３１】
第２信号入力部２０５は、外付けセンサ１０６から期限切れ報知信号Ｐ（例えば、有効期限が経過した場合に出力されるものでも良いし、予め外付けセンサ１０６を交換するために余裕を待たせて出力されるものでも良い）を受け取ると交換要求信号Ｑを出力する。
【００３２】
ここで、外付けセンサ１０６は自身が有効期限を計時する機能を有すると共に、有効期限が近づいた場合、あるいは有効期限が経過した時点を判定して期限切れ報知信号を出力する手段を併せ持ったものが好ましい。
【００３３】
また、外付けセンサ１０６が出力する信号として、期限切れ報知信号以外に交換を必要とするような状態、例えば故障により異常検知機能が低下した場合等に、交換報知信号として出力するようにしてもよい。
【００３４】
以上のように、本実施の形態においては、第２信号入力部２０５の交換要求信号Ｑを受け取ることで判定値変更部１０８が一旦、ガス器具の連続使用時間の許容値である流量継続所定時間Ｇを長時間設定としたものを、短時間設定に戻すことができるようになる。
【００３５】
つまり、実施の形態１では、ガス通路内のガス流量を検出する流量検出部１０１と、流量検出部１０１の検出信号Ａに基づいて流量Ｂを算出する流量算出部１０２と、流量区分別に器具の連続使用時間の許容値を設定し所定の条件で許容値を長時間設定と短時間設定に変更する判定値変更部１０８と、ガス流量が検出されたとき流量算出部１０２で算出された流量Ｂに対応する連続使用時間の許容値を判定値変更部１０８より取り出し、ガス流量が検出されている時間が取り出した連続使用時間の許容値より長く継続しているとき弁閉信号Ｃを出力する異常流量判定部１０３と、異常流量判定部１０３の弁閉信号Ｃが入力されたとき弁駆動信号Ｄを出力する弁駆動部１０４と、弁駆動部１０４の駆動信号Ｄによりガス通路を閉栓する弁１０５と、屋内環境の異常を検出する外付けセンサ１０６と、外付けセンサ１０６の接続状態Ｅを監視し、センサ有／無信号Ｆを出力する接続判定部１０７と、外付けセンサ１０６から送信される期限切れ報知信号Ｐを受け取ると交換要求信号Ｑを出力する第２信号入力部２０５と、外部センサ１０６からの異常検知信号Ｈが入力されると弁閉信号Ｃを出力するセンサ信号入力部１０９とを備え、判定値変更部１０８は、接続判定部１０７よりセンサ有信号が出力されたとき連続使用時間の許容値を長時間設定とし、接続判定部１０７よりセンサ無信号が出力されたとき連続使用時間の許容値を短時間設定とし、かつ第２信号入力部２０５から交換要求信号Ｑが出力されたとき連続使用時間の許容値を短時間設定とするようにしたものである。
【００３６】
これによって、外付けセンサ１０６に自身の有効期限を計時する機能を持たせ、有効期限が近づいた場合、あるいは経過した時点で期限切れ報知信号Ｐを出力し、この期限切れ報知信号Ｐの受信有無をガス遮断装置が監視し、受信有を判定したとき外付けセンサ１０６の異常検知機能が保証範囲を超えたと判断し、連続使用時間の許容値を短時間設定とすることで、ガス器具の使用条件に制限を加えるようにしたもので、外付けセンサ１０６自身が有効期限の判定を行う機能を有しているため、種類や仕様の異なる外付けセンサ１０６で有効期限が異なるものでも容易に対応することができ、有効期限が過ぎても交換されない場合は、器具の使用条件を制限することで、一応の安全性を確保することができ、外部センサが交換されるまでの安全性を確保するための暫定処置が簡単な処理で可能となる。
【００３７】
（実施の形態２）
本発明の実施の形態２におけるガス遮断装置について、図２を用いて説明する。図２において、実施の形態１と同一機能を行う手段には同一番号を付している。そして、実施の形態１と相違する点は、第２信号入力部２０５の交換要求信号Ｑを受け取ると満了報知信号を出力し、外部通信手段により報知するようにした点である。以下、その相違点を中心に説明する。
【００３８】
判定値変更部１０８は、接続判定部１０７のセンサ有／無信号Ｆがセンサ有になった場合にはガス器具の連続使用時間の許容値である流量継続所定時間Ｇ（例えば、図３に示すように室内器具であるＦＨの流量０．５ｍ３／ｈは外付けセンサ１０６であるＣＯセンサの有効期限内では４００分の長時間設定だが、有効期限切れでは５０分の短時間設定とし、また、流量区分が屋外器具である給湯器の２．０ｍ３／ｈの場合は、大気開放なので外付けセンサ１０６であるＣＯセンサの有効期限には関係なく長時間設定と短時間設定は同じ１００分とする）を長時間設定とし、センサ有／無信号Ｆがセンサ無（例えば、有効期限前に交換するためには外付けセンサ１０６が外されたり、急激に電池消耗あるいは商業用電源が外れたり、停電により外付けセンサ１０６が動作しなくなった場合。停電等の一時的なものはセンサ使用許可期間とセンサ有効期限のズレを発生させないために、センサ有／無信号Ｆをセンサ無にしないことでセンサ使用許可期間の計時をリスタートさせないようにしてもよい）となった場合、あるいは第２信号入力部２０５からの交換要求信号Ｑを受け取るとガス器具の連続使用時間の許容値である流量継続所定時間Ｇを短時間設定にし、交換要求信号Ｑを受け取ると満了報知信号Ｎ（あるいは、予め外付けセンサ１０６を交換するために余裕を待たせて出力される期限切れ信号Ｐの場合は満了報知信号Ｎではなく予告報知信号Ｍとし、他の実施の形態１で説明した期間判定部２００で予告期間分の例えば３ヶ月を計時させ、期間満了信号Ｊを受け取ることでガス器具の連続使用時間の許容値である流量継続所定時間Ｇを長時間設定から短時間設定に変更し、満了報知信号Ｎを出力するようにしてもよい）を出力する。
【００３９】
外部通信部２０３は、判定値変更部１０８の満了報知信号Ｎ（あるいは、予め外付けセンサ１０６を交換するために余裕を待たせた予告報知信号Ｍ）を受け取ると外部に満了（あるいは予告）として報知し、外部に満了を報知した後、外部から遮断の指示を受け取ると弁閉信号Ｃを出力する。
【００４０】
弁駆動部１０４は、上記実施の形態１で説明した内容に加えて、外部通信部２０３の弁閉信号Ｃを受け取ると弁駆動信号Ｄを出力するようにしたものとする。
【００４１】
以上のように、判定値変更部１０８の満了報知信号Ｎに基づく外部通信部２０３からの満了を受け取った時点で工事業者に外付けセンサの交換を依頼し、工事業者の対応が困難と判断した場合に、ガス使用者の安全を守るために強制的（例えば、無条件にガス通路を閉栓しても良いし、ガス使用者の合意を得てからガス通路を閉栓する等、運用形態を変更することは容易に想定される）ガス通路を閉栓する手段を持つことができるようになる。
【００４２】
このとき、工事業者等が交換作業が困難と判断して遮断指示の処理を実行すればよいが、期限切れ状態で長期間放置される場合も想定され、外部通信手段２０３が、外部に外付けセンサ１０６の交換時期を報知したのち、所定期間内に外部からの応答信号がないとき弁閉信号Ｃを出力するような構成が望ましい。
【００４３】
つまり、実施の形態２では、上記第１の実施の形態において、第２信号入力部２０５からの交換要求信号Ｑを受け取ると連続使用時間の許容値を短時間設定にすると共に、満了報知信号Ｎを出力する判定値変更部１０８と、判定値変更部１０８からの満了報知信号Ｎを受け取ると外部に外付けセンサ１０６の交換時期である旨を報知すると共に、外部からの遮断指示に基づき弁閉信号Ｃを出力する外部通信手段２０３とを備え、外部通信手段２０３は、外部に外付けセンサ１０６の交換時期を報知したのち、所定期間内に外部からの応答信号がないとき弁閉信号Ｃを出力するようにしたものである。
【００４４】
そして、外部センサ１０６から期限切れ報知信号が出力され、第２信号入力部２０５に入力されると交換要求信号Ｑに変換して判定値変更部１０８に出力し、判定値変更部１０８は満了報知信号Ｎとして外部通信手段２０３に出力し、外部に外付けセンサ１０６の交換時期である旨が報知される。この報知内容に基づいてガス事業者は交換作業の準備を行うことになるが、何らかの理由で交換作業ができず、期限切れ状態が長期間放置された状態になった場合は弁閉信号Ｃを出力し強制的にガスの供給を遮断するようにしているため、使用者の安全性を確保することができ、交換作業の早期着手を促すことができるというものである。
【００４５】
（実施の形態３）
また、外部通信手段２０３の機能として、外部に報知する交換時期情報を所定期間内に複数回繰り返して送信する手段とした実施の形態３では、上記実施の形態２と同様に、第２信号入力部２０５からの交換要求信号Ｑを受け取ると連続使用時間の許容値を短時間設定にすると共に、満了報知信号Ｎを出力する判定値変更部１０８と、判定値変更１０８からの満了報知信号Ｎを受け取ると外部に外付けセンサ１０６の交換時期である旨を報知すると共に、外部からの遮断指示に基づき弁閉信号Ｃを出力する外部通信手段２０３とを備え、外部通信手段２０３は、所定期間内に複数回の外付けセンサ１０６の交換時期報知を行い、外部からの応答信号がないとき弁閉信号Ｃを出力するようにしたものである。
【００４６】
そして、上記第２の実施の形態と同様に、外部センサ１０６から期限切れ報知信号Ｐが出力され、第２信号入力部２０５に入力されると交換要求信号Ｑに変換して判定値変更部１０８に出力し、判定値変更部１０８は満了報知信号Ｎとして外部通信手段２０３に出力し、外部に外付けセンサ１０６の交換時期である旨が報知される。このとき、外部への交換時期の報知を複数回繰り返して行うようにし、外付けセンサ１０６の交換作業の早期着手を促すことで、期限切れ状態が長期間放置される状態を回避し、それでも放置される場合は弁閉信号Ｃを出力し強制的にガスの供給を遮断するようにして、使用者の安全性を確保するようにしている。
【００４７】
（実施の形態４）
また、外部通信手段２０３の機能として、外部に外付けセンサ１０６の交換時期を報知したのち、時間経過と共に連続使用時間の許容値を短縮する方向に変更するようにした実施の形態４では、上記実施の形態２と同様に、第２信号入力部２０５からの交換要求信号Ｑを受け取ると連続使用時間の許容値を段階的に短く設定すると共に、満了報知信号Ｎを出力する判定値変更部１０８と、判定値変更部１０８からの満了報知信号Ｎを受け取ると外部に外付けセンサ１０６の交換時期である旨を報知すると共に、外部からの遮断指示に基づき弁閉信号Ｃを出力する外部通信手段２０３とを備え、外部通信手段２０３は、外部に外付けセンサ１０６の交換時期を報知したのち、時間経過と共に連続使用時間の許容値を短縮する方向に変更するようにしたものである。
【００４８】
そして、上記第２の実施の形態と同様に、外部センサ１０６から期限切れ報知信号Ｐが出力され、第２信号入力部２０５に入力されると交換要求信号Ｑに変換して判定値変更部１０８に出力し、判定値変更部１０８は満了報知信号Ｎとして外部通信手段２０３に出力し、外部に外付けセンサ１０６の交換時期である旨が報知される。このとき、外部への交換時期の報知により外付けセンサ１０６の交換作業の早期着手を促すと共に、報知後の時間経過に伴って連続使用時間の許容値を徐々に短縮する方向に変更し、期限切れ状態が長期間放置される状態における使用条件の制限を強化することで、一応の安全性を確保することができ、外部センサが交換されるまでの安全性を確保するための暫定処置が簡単な処理で可能となる。
【００４９】
以上、実施の形態１〜４おいて、ガス遮断装置が外付けセンサ１０６の期限切れ報知信号により有効期限内か否かを把握することで、ガス器具の連続使用時間の許容値である流量継続所定時間を自動的に長時間設定と短時間設定に区別して切り替えることが可能となり、外付けセンサ１０６の有効期限が過ぎた場合に、ガス使用者の安全性向上を図ることが可能となり、より高度な保安機能を担保することでシステムの信頼性を向上させることができる。
【００５０】
以下、本発明の他の実施例について紹介し説明する。
【００５１】
（他の実施の形態１）
図１は、本発明の他の実施の形態１におけるガス遮断装置の機能ブロック図を示すものである。
【００５２】
図１において、流量検出部１０１は、ガス通路内を通過するガス流量（例えば、ガス通路内の上流側と下流側に対向して超音波センサを取り付け、上流側から下流側、下流側から上流側に発信する超音波の伝搬時間の違いからガス流量を検知してもよいし、ガス通路内にガスが流れる経路を作成しガスが経路を流れるときに発生する振動からガス流量を検知しても同様の効果が得られる）に対応して流量信号Ａを出力する。
【００５３】
流量算出部１０２は、流量検出部１０１の流量信号Ａを受け取ると、所定の演算処理に基づいて流量Ｂを算出する。
【００５４】
異常流量判定部１０３は、流量算出部１０２の流量Ｂを受け取ると、所定の条件で長時間設定と短時間設定に区別して流量区分別に設定した器具の連続使用時間の許容値を用いて、流量Ｂに基づいた判定値変更部１０８のガス器具の連続使用時間の許容値である流量継続所定時間Ｇ（例えば、図３に示すように室内器具であるＦＨの流量０．５ｍ３／ｈは外付けセンサ１０６であるＣＯセンサの有効期限内では４００分の長時間設定だが、有効期限切れでは５０分の短時間設定とし、また、流量区分が屋外器具である給湯器の２．０ｍ３／ｈの場合は、大気開放なので外付けセンサ１０６であるＣＯセンサの有効期限には関係なく長時間設定と短時間設定は同じ１００分とする）を取得し、流量Ｂがガス器具の連続使用時間の許容値である流量継続所定時間Ｇの間、継続して流れていれば弁閉信号Ｃを出力する。
【００５５】
弁駆動部１０４は異常流量判定部１０３の弁閉信号Ｃまたはセンサ信号入力部１０９の弁閉信号Ｃを受け取ると弁駆動信号Ｄを出力する。
【００５６】
弁１０５は、弁駆動部１０４の弁駆動信号Ｄを受け取るとガス通路を閉栓する。
【００５７】
接続判定部１０７は、外付けセンサ１０６（例えば、ガス漏れ警報器、ＣＯ警報器や火災警報器等の個別型または複合型のものでも良いし、ガス遮断装置を監視するユーザ宅内に設置された宅内情報盤等の管理システムでも良い）の接続状態信号Ｅを監視し、外付けセンサ１０６の有無を判定してセンサ有無信号Ｆを出力する。
【００５８】
判定値変更部１０８は、接続判定部１０７のセンサ有／無信号Ｆがセンサ有になった場合には期間判定部２００に判定開始信号Ｉを出力してガス器具の連続使用時間の許容値である流量継続所定時間Ｇを長時間設定とし、センサ有／無信号Ｆがセンサ無（例えば、有効期限前に交換するためには外付けセンサ１０６が外されたり、急激に電池消耗あるいは商業用電源が外れたり、停電により外付けセンサ１０６が動作しなくなった場合。停電等の一時的なものはセンサ使用許可期間とセンサ有効期限のズレを発生させないために、センサ有無信号Ｆをセンサ無にしないことでセンサ使用許可期間の計時をリスタートさせないようにしてもよい）となった場合、あるいは期間判定部２００から期間満了信号Ｊを受け取るとガス器具の連続使用時間の許容値である流量継続所定時間Ｇを短時間設定にする。
【００５９】
期間判定部２００は、判定値変更部１０８からの判定開始信号Ｉを受け取ると、計時を開始して予め保持している外付けセンサ１０６の有効期限であるセンサ使用許可期間（例えば、５年間）が経過すると期間満了信号Ｊを出力する。
【００６０】
センサ信号入力部１０９は、外付けセンサ１０６からの異常検知信号Ｈ（例えば、ガス漏れやＣＯ発生等の異常状態を外付けセンサ１０６が検出したことを報知する信号）を受け取ると弁閉信号Ｃを出力する。
【００６１】
以上のように、本実施の形態においては、接続判定部１０７のセンサ有／無信号Ｆがセンサ有となった時点を起点として、期間判定部２００が外付けセンサ１０６の有効期限であるセンサ使用許可期間（例えば、５年間）を経過するまで計時し、センサ使用許可期間に至ると期間満了信号Ｊすることで、判定値変更部１０８が一旦、ガス器具の連続使用時間の許容値である流量継続所定時間Ｇを長時間設定としたものを、短時間設定に戻すことができる。
【００６２】
つまり、他の実施の形態１では、ガス通路内のガス流量を検出する流量検出部１０１と、流量検出部１０１の検出信号Ａに基づいて流量Ｂを算出する流量算出部１０２と、流量区分別に器具の連続使用時間の許容値を設定し所定の条件で許容値を長時間設定と短時間設定に変更する判定値変更部１０８と、ガス流量が検出されたとき流量算出部１０２で算出された流量Ｂに対応する連続使用時間の許容値を判定値変更部１０８より取り出し、ガス流量Ａが検出されている時間が取り出した連続使用時間の許容値より長く継続しているとき弁閉信号Ｃを出力する異常流量判定部１０３と、異常流量判定部１０３の弁閉信号Ｃが入力されたとき弁駆動信号Ｄを出力する弁駆動部１０４と、弁駆動部１０４の駆動信号によりガス通路を閉栓する弁１０５と、屋内環境の異常を検出する外付けセンサ１０６と、外付けセンサ１０６の接続状態Ｅを監視し、センサ有／無信号Ｆを出力する接続判定部１０７と、接続判定部１０７からのセンサ有信号Ｉで外部センサ１０６の有効期間の計時を開始し予め定めた有効期限が経過すると期間満了信号Ｊを出力する期間判定部２００と、外部センサ１０６からの異常検知信号Ｈが入力されると弁閉信号Ｃを出力するセンサ信号入力部１０９とを備え、判定値変更部１０８は、接続判定部１０７よりセンサ有信号が出力されたとき連続使用時間の許容値を長時間設定とし、接続判定部１０７よりセンサ無信号が出力されたとき連続使用時間の許容値を短時間設定とし、かつ期間判定部２００より期間満了信号Ｊが出力されたとき連続使用時間の許容値を短時間設定としたことを特徴としたものである。
【００６３】
そして、ガス遮断装置が外付けセンサ１０６の有効期限に達するか否かを監視し、有効期限に達すると自動的に器具の連続使用時間の許容値を長時間設定としたものを、短時間設定に戻すことができ、有効期限が切れた不安定な状態にある外部センサ１０６を信頼することなく、器具の使用条件を制限することで、一応の安全性を確保することができ、外部センサ１０６が交換されるまでの安全性を確保するための暫定処置が簡単な処理で可能となる。
【００６４】
（他の実施の形態２）
本発明の他の実施の形態２におけるガス遮断装置について、図１を用いて説明する。
【００６５】
図１において、他の実施の形態１と同一機能を行う手段には同一番号を付している。そして、他の実施の形態１と相違する点は、接続判定部１０７に代えて、電圧判定部２０１を設けた点である。以下、その相違点を中心に説明する。
【００６６】
電圧判定部２０１は、外付けセンサ１０６の接続状態信号Ｅの電圧を監視し、予め定めた電圧値以下（例えば、２．０Ｖ以下）に低下した後、再度予め定めた電圧値以上（例えば、２．８Ｖ以上）に戻ると、新しい外付けセンサ１０６に交換されたと認識（電池駆動している外付けセンサ１０６の出力電圧は電池消耗に伴い電圧降下が現れ、外付けセンサ１０６を交換しなければヒステリシスのある電圧判定をパスできないことを利用した判定方法）して交換済信号Ｋを出力する。
【００６７】
判定値変更部１０８は、電圧判定部２０１の交換済信号Ｋを受け取ると、期間判定部２００に判定開始信号Ｉを出力してガス器具の連続使用時間の許容値である流量継続所定時間Ｇを長時間設定とし、期間判定部２００から期間満了信号Ｊを受け取るとガス器具の連続使用時間の許容値である流量継続所定時間Ｇを短時間設定にする。
【００６８】
期間判定部２００は、判定値変更部１０８からの判定開始信号Ｉを受け取ると計時を開始して、予め保持している外付けセンサ１０６の有効期限であるセンサ使用許可期間（例えば、５年間）が経過すると期間満了信号Ｊを出力する。
【００６９】
センサ信号入力部１０９は、外付けセンサ１０６からの異常検知信号Ｈ（例えば、ガス漏れやＣＯ発生等の異常状態を外付けセンサ１６が検出したことを報知する信号）を受け取ると弁閉信号Ｃを出力する。
【００７０】
以上のように、本実施の形態においては、電圧判定部２０１の交換済信号Ｋを受け取った時点を起点として、期間判定部２００が外付けセンサ１０６の有効期限であるセンサ使用許可期間を経過するまで計時し、センサ使用許可期間に至ると期間満了信号Ｊを出力することで判定値変更部１０８が一旦、ガス器具の連続使用時間の許容値である流量継続所定時間Ｇを長時間設定としたものを、短時間設定に戻すことができる。
【００７１】
つまり、他の実施の形態２では、ガス通路内のガス流量を検出する流量検出部１０１と、前記流量検出部１０１の検出信号Ａに基づいて流量Ｂを算出する流量算出部１０２と、流量区分別に器具の連続使用時間の許容値を設定し所定の条件で前記許容値を長時間設定と短時間設定に変更する判定値変更部１０８と、ガス流量が検出されたとき前記流量算出部１０２で算出された流量Ｂに対応する連続使用時間の許容値を前記判定値変更部１０８より取り出し、ガス流量が検出されている時間が取り出した連続使用時間の許容値より長く継続しているとき弁閉信号Ｃを出力する異常流量判定部１０３と、前記異常流量判定部１０３の弁閉信号Ｃが入力されたとき弁駆動信号Ｄを出力する弁駆動部１０４と、前記弁駆動部１０４の駆動信号Ｄによりガス通路を閉栓する弁１０５と、屋内環境の異常を検出する外付けセンサ１０６と、前記外付けセンサ１０６の接続状態を電圧レベルで監視し、所定レベル以上で接続有、所定レベル以下で接続無とした場合、電圧レベルが所定レベル以上から所定レベル以下に低下し、再度所定レベル以上に復帰したとき外付けセンサ１０６が交換されたとして交換済信号Ｋを出力する電圧判定部２０１と、前記電圧判定部２０１からの交換済信号Ｋで前記外部センサ１０６の有効期間の計時を再開し予め定めた有効期限が経過すると期間満了信号Ｊを出力する期間判定部２００と、前記外部センサ１０６からの異常検知信号Ｈが入力されると弁閉信号Ｃを出力するセンサ信号入力部１０９とを備え、前記判定値変更部１０８は、前記電圧判定部２０１より交換済信号Ｋが出力されたとき連続使用時間の許容値を長時間設定とし、前記期間判定部２００より期間満了信号Ｊが出力されたとき連続使用時間の許容値を短時間設定としたものである。
【００７２】
そして、電圧判定部２０１により外部センサ１０６が交換されたか否かを確実に判断することができ、外部センサ１０６の有効期限管理に伴うガス器具の安全利用面において有効な手段となる。また、電圧判定部２０１より交換済信号Ｋが出力されたとき連続使用時間の許容値を長時間設定とし、期間判定部２００より期間満了信号Ｊが出力されたとき連続使用時間の許容値を短時間設定としているため、有効期限が過ぎても交換されない場合は、器具の使用条件を制限することで、一応の安全性を確保することができ、外部センサ１０６が交換されるまでの安全性を確保するための暫定処置が簡単な処理で可能となる。
【００７３】
（他の実施の形態３）
本発明の他の実施の形態３におけるガス遮断装置について、図１を用いて説明する。
図１において、他の実施の形態１と同一機能を行う手段には同一番号を付している。そして、実施の形態１と相違する点は、外付けセンサ１０６の有効期限を任意に設定し変更することが可能な期間設定部２０２を設けた点である。以下、その相違点を中心に説明する。
【００７４】
期間設定部２０２は外部より（例えば、設定器にて直接または公共や専用の通信網を使って遠隔より設定しても良い）設定期間（例えば、期間を３年とダイレクトに入れても良いし、３年を意味するコードを入れても同等の効果が得られる）を取得すると期間変更信号Ｌを出力する。
【００７５】
期間判定部２００は、判定値変更部１０８からの判定開始信号Ｉを受け取ると計時を開始して、期間設定部２０２の期間変更信号Ｌにより設定された期間に基づいた、外部センサ１０６の有効期限であるセンサ使用許可期間（例えば、先に設定された３年間）が経過すると期間満了信号Ｊを出力する。
【００７６】
以上のように、他の実施の形態３においては、期間設定部２０２の期間変更信号Ｌにより個々の外付けセンサ１０６（例えば、警報器やＣＯ警報器や火災警報器等）の有効期限（例えば、技術革新が進み外付けセンサ１０６の性能が向上して有効期限が長くなる場合にもガス遮断装置を交換することなく対応できる。あるいはガス遮断装置と外付けセンサ１０６の交換時期が異なり、外付けセンサ１０６を継続して使用しガス遮断装置を交換する場合に、交換したガス遮断装置に外付けセンサ１０６の残有効期限を設定することが可能となる）に細かく対応できるようになる。
【００７７】
つまり、他の実施形態３では、上記他の実施の形態１、２において、外部センサ１０６の有効期限を変更するための期間変更信号Ｌを出力する期間設定部２０２を備え、期間判定部２００は、所定の条件下で有効期間の計時を開始し、前記期間設定部２０２で設定された有効期限が経過すると期間満了信号Ｊを出力するようにしたものである。
【００７８】
そして、期間設定部２０２の期間変更信号Ｌにより、種類や仕様の異なる個々の外付けセンサ１０６の有効期限を適切に設定することができ、より細かな対応が可能となる。
【００７９】
（他の実施の形態４）
本発明の他の実施の形態４におけるガス遮断装置について、図１を用いて説明する。
図１において、他の実施の形態１と同一機能を行う手段には同一番号を付している。そして、実施の形態１と相違する点は、外部センサ１０６の有効期限より短い期限とした予告期限を設定し、該予告期限に達すると予告報知信号を出力するようにした点である。以下、その相違点を中心に説明する。
【００８０】
期間判定部２０２は、判定値変更部１０８からの判定開始信号Ｉを受け取ると計時を開始して、期間満了信号Ｊを出力するより以前の日時に設定されている予告期間（例えば、外付けセンサ１０６の有効期限が５年の場合、その３ヶ月前の４年と９ヶ月目の時点）に達すると予告報知信号Ｍを出力し、予め保持している外部センサ１０６の有効期限であるセンサ使用許可期間（例えば、５年間）が経過すると満了報知信号Ｎと期間満了信号Ｊを出力する。
【００８１】
外部通信部２３は、期間判定部２００の予告報知信号Ｍを受け取ると外部に予告として報知し、満了報知信号Ｎを受け取ると外部に満了として報知し、外部に満了を報知した後、外部から遮断の指示を受け取ると弁閉信号Ｃを出力する。
【００８２】
弁駆動部１０４は、他の実施の形態１、２、３で説明した内容に加えて、外部通信部２０３の弁閉信号Ｃを受け取ると弁駆動信号Ｄを出力するようにしたものとする。
【００８３】
以上のように、他の実施の形態４においては、期間判定部２００の予告報知信号Ｍに基づく外部通信部２０３からの予告を受け取った時点でガス遮断装置を監視しているセンタ（例えば、公共または専用の通信網を通してガス遮断装置の異常の有無を定期的または常時監視するセンタシステム）から工事業者に外付けセンサ１０６の交換を依頼し、期間判定部２００の満了報知信号Ｎに基づく外部通信部２０３からの満了を受け取った時点で工事の未完を工事業者に通達する。工事業者の対応が困難と判断した場合にガス使用者の安全を守るために強制的（例えば、無条件にガス通路を閉栓しても良いし、ガス使用者の合意を得てからガス通路を閉栓する等、運用形態を変更することは容易に想定される）にガス通路を閉栓する手段を持つことができるようになる。
【００８４】
つまり、他の実施の形態４では、上記他の実施の形態１、２、３において、外部センサ１０６の有効期限より短い期限とした予告期限を設定し、該予告期限に達すると予告報知信号Ｍを出力すると共に有効期限が経過すると満了報知信号Ｎを出力する期間判定部２００と、前記期間判定部２００からの予告報知信号Ｍと満了報知信号Ｎに基づき区別して外部に報知すると共に、外部からの遮断指示に基づき弁閉信号Ｃを出力する外部通信部２０３とを備え、予告報知信号Ｍが出力されてから満了報知信号Ｎが出力されるまでに、外部センサ１０６の交換作業が完了していない場合に前記外部通信部２０３を介して遮断指示を行うようにしたものである。
【００８５】
そして、期間判定部２００の予告報知信号Ｍに基づく外部通信部２０３からの予告を受け取った時点で、ガス遮断装置を監視しているセンタから工事業者に外付けセンサ１０６の交換を依頼し、期間判定部２００の満了報知信号Ｎに基づく外部通信部２０３からの満了を受け取った時点で工事の未完を工事業者に通達する。工事業者の対応が困難と判断した場合に、ガス使用者の安全を守るために強制的にガス通路を閉栓することで、予告報知信号Ｍを用いた外部センサ１０６の交換作業期間の確保が可能となり、かつ作業未完時の安全性を確保することができる。
【００８６】
（他の実施の形態５）
本発明の他の実施の形態５におけるガス遮断装置について、図１を用いて説明する。
図１において、他の実施の形態１と同一機能を行う手段には同一番号を付している。そして、他の実施の形態１と相違する点は、外部センサの有効期限より長い期限とした猶予期限を設定し、有効期限が経過したとき出力される猶予期間中信号が猶予期限が経過しても継続して出力されているとき弁閉信号を出力する第２期間判定部を設けた点である。以下、その相違点を中心に説明する。
【００８７】
期間判定部２００は、判定値変更部１０８からの判定開始信号Ｉを受け取ると、猶予期間中信号Ｏの出力を停止して計時を開始し、予め保持している外部センサ１０６の有効期限であるセンサ使用許可期間（例えば、５年間）が経過すると期間満了信号Ｊと猶予期間中信号Ｏを出力する。
【００８８】
第２期間判定部２０４は、期間判定部２００の猶予期間中信号Ｏを受け取ると計時を開始し、予め保持している猶予期間（例えば、外付けセンサ１０６の交換に要するまでの期間として３ヶ月）に至っても猶予期間中信号Ｏが継続していると弁閉信号Ｃを出力する。
【００８９】
弁駆動部１０４は、他の実施の形態１、２、３で説明した内容に加え、第２期間判定部２０４の弁閉信号Ｃを受け取ると弁駆動信号Ｄを出力するようにしたものとする。
【００９０】
以上のように、他の実施の形態５においては、ガス器具の連続使用時間の許容値である流量継続所定時間Ｇを短時間設定に切り替えた後も、外付けセンサ１０６が交換されていないことを第２期間判定部２０４が猶予期間まで計時することで検出して、ガス通路を閉栓することができるようになる。
【００９１】
つまり、他の実施の形態５では、上記他の実施の形態１、２、３において、外部センサ１０６の有効期限より長い期限とした猶予期限を設定し、有効期限が経過すると期間満了信号Ｊを出力すると共に猶予期間中信号Ｏを出力する期間判定部２００と、前記期間判定部２００からの猶予期間中信号Ｏで計時を開始し予め設定された猶予期限が経過しても猶予期間中信号Ｏが継続して出力されているとき弁閉信号Ｃを出力する第２期間判定部２０４とを備え、前記期間判定部２００の満了報知信号Ｊで連続使用時間の許容値を短時間設定に変更し、その後、猶予期限が経過するまでに外部センサ１０６の交換作業が完了したとき猶予期間中信号Ｏの出力を停止するようにしたものである。
【００９２】
そして、ガス器具の連続使用時間の許容値である流量継続所定時間を短時間設定に切り替えた後も、外付けセンサ１０６が交換されていないことを第２期間判定部２０４が猶予期間まで計時することで検出することができ、交換されない場合にガス通路を閉栓することで、猶予期間中信号Ｏを用いた外部センサ１０６の交換作業期間の確保が可能となり、かつ作業未完時の安全性を確保することができる。
【産業上の利用可能性】
【００９３】
以上のように、本発明に係るガス遮断装置は、第２信号入力部が交換要求信号を出力することで、判定値変更部が流量継続所定時間を長時間から短時間にすることでき、外付けセンサの有効期限が過ぎても流量継続所定時間を長時間のままになることを回避することが可能となり、システムの信頼性を向上させることができるため、ガスに限らず電気や水道に置き換えれば、外付けセンサを有する電気メータや水道メータ等の用途にも適用できる。
【図面の簡単な説明】
【００９４】
【図１】本発明の他の実施の形態１〜５におけるガス遮断装置の機能ブロック図
【図２】本発明の実施の形態１−４におけるガス遮断装置の機能ブロック図
【図３】本発明の実施の形態における流量区分別の流量継続所定時間を表す図
【図４】従来のガス遮断装置の機能ブロック図
【符号の説明】
【００９５】
１０１  流量検出部
１０２  流量算出部
１０３  異常流量判定部
１０４  弁駆動部
１０５  弁
１０６  外付けセンサ
１０７  接続判定部
１０８  判定値変更部
１０９  センサ信号入力部
２０３  外部通信部
２０５  第２信号入力部
【図１】
0005042071.tif 000002
【図２】
0005042071.tif 000003
【図３】
0005042071.tif 000004
【図４】
0005042071.tif 000005